(57)【要約】      （修正有）【課題】頭上作業を減らし横向き作業を増やし、畝間に作業車を走らせ、作業と生産の量や質が効率の良い圃場にすることができるブドウ棚の主要な骨格構造とその主幹の整枝方法を提供する。【解決手段】前後方向に建植した支柱１の列において、支柱高の中頃の前後方向に前後通し管２を設置し、二列に並列した支柱列の前後通し管の任意の箇所に、ペアの山形支管３の左右先端を前後通し管に設置することを特徴とする山形支管を使用したブドウ棚の主要骨格構造と並列した左右支柱列のうち一方の支柱列の山形支管設置箇所の下部地上にブドウを植生し、立ち上がったブドウの第一主幹６を山形支管の山部まで誘引し、該第一主幹の先端付近から左右横方向に分岐した第二主幹をペア側の山形支管の斜め下方の前後通し管まで誘引し、前後通し管にて第二主幹の先端付近を前後方向に主枝を分岐誘引するブドウの主幹整枝方法。【選択図】図１
2017143819.tif 000002
【特許請求の範囲】
【請求項１】
前後方向ほぼ直線状に建植した支柱の列において、支柱高の中頃の前後方向に前後通し管を設置し、二列に並行した支柱列の前後通し管の任意の箇所に、ペアの山形支管を山部を上に両先端を下にしてそれぞれの左右先端を前後通し管に設置することを特徴とする山形支管を使用したブドウ棚の主要骨格構造。
【請求項２】
並立した左右支柱列のうち一方の支柱列の山形支管設置箇所の下部地上にブドウを植生し、立ち上がったブドウの第一主幹を山形支管の山部まで誘引し、該第一主幹の先端付近から左右横方向に分岐した第二主幹をペア側の山形支管の斜め下方の前後通し管まで誘引し、前後通し管にて第二主幹の先端付近を前後方向ほぼ水平にそれぞれの主枝を分岐誘引するブドウの主幹整枝方法。
【発明の詳細な説明】
【技術分野】
【０００１】  この発明は、ブドウ棚の主要な骨格構造とその主幹の整枝方法に関する。
【背景技術】
【０００２】  一般的に普及しているブドウ等の整枝方法には、作業員の頭上に設置する水平高棚のＸ型整枝や一文字型整枝及びＨ型整枝などが知られている。
また、加工用ブドウの生産を目的とした、主枝を低くし低木仕立てとした一文字型の整枝方法が知られている。
また、図５のように生食用ブドウの生産を目的とした、低木一文字型に改良を加え、新梢を傾斜させＶ字状にした整枝方法が知られている。
【発明の概要】
【発明が解決しようとする課題】
【０００３】  一般的に主枝高木一文字型新梢水平仕立ては、樹冠面積が小さく痩せ地向きで、苗木本数を多く必要とし、一般的な肥沃地の場合は樹勢が強くなりすぎ新梢管理が繁雑になる。
また、主枝長を長くすると新梢の生育が不均一になりやすい課題がある。
また、玉枝高木平行Ｈ型新梢水平仕立ては、一文字型と同様に主枝や新梢及び房の位置が高く常に手を上に上げた頭上作業となり、高齢化が押し寄せ、作業環境が劣悪である。
また、低木一文字型の技術は、低木仕立てで比較的作業はしやすいが、一文字整枝法の共通の欠点である痩せ地向きで、他の土地では樹勢のコントロールが大変であり、苗木本数が多く必要などの問題点がある。
本発明が解決しようとする課題は、生食用のブドウを生産するにあたって、頭上作業を減らし横向き作業を増やし、畝間に作業車を走らせ、作業と生産の量や質が効率の良い圃場にすることが課題である。
【課題を解決するための手段】
【０００４】  前後方向ほぼ直線状に建植した支柱の列において、支柱高の中頃の前後方向に前後通し管を設置し、二列に並列した支柱列の前後通し管の任意の箇所に、ペアの山形支管を山部を上に両先端を下にしてそれぞれの左右先端を前後通し管に設置することを特徴とする山形支管を使用したブドウ棚の主要骨格構造と並列した左右支柱列のうち一方の支柱列の山形支管設置箇所の下部地上にブドウを植生し、立ち上がったブドウの第一主幹を山形支管の山部まで誘引し、該第一主幹の先端付近から左右横方向に分岐した第二主幹をペア側の山形支管の斜め下方の前後通し管まで誘引し、前後通し管にて第二主幹の先端付近を前後方向ほぼ水平にそれぞれの主枝を分岐誘引するブドウの主幹整枝方法を課題を解決するための手段として提供する。
【発明の効果】
【０００５】  本発明の効果について説明する。
本発明は、従来の一般的な主枝平行Ｈ型仕立てに改良を加えて、主枝及び新梢高木の頭上作業を解消するため、苗を支柱列に移し主枝を低木とし、安定性のある山形支管を採用して、変形主枝低木平行Ｈ型新梢傾斜仕立てとすることで、作業は横向きの作業となり、畝間に作業車を走らせて、人に優しく効率の良いブドウ棚を造成する効果がある。
【図面の簡単な説明】
【０００６】
【図１】  本発明の実施例を示す斜視図である。
【図２】  本発明の主要骨格構造と主幹整枝の詳細図である。
【図３】  本発明の実施例を示す側面図である。
【図４】  本発明の実施例を示す正面図である。
【図５】  従来の実施例を示す正面図である。
【図６】  従来の平行Ｈ型で、仮に低木仕立てとした場合の正面図である。
【発明を実施するための形態】
【０００７】  前後方向ほぼ直線状に建植した支柱の列において、支柱高の中頃の前後方向に前後通し管を設置し、二列に並列した支柱列の前後通し管の任意の箇所に、ペアの山形支管を山部を上に両先端を下にしてそれぞれの左右先端を前後通し管に設置することを特徴とする山形支管を使用したブドウ棚の主要骨格構造と並列した左右支柱列のうち一方の支柱列の山形支管設置箇所の下部地上にブドウを植生し、立ち上がったブドウの第一主幹を山形支管の山部まで誘引し、該第一主幹の先端付近から左右横方向に分岐した第二主幹をペア側の山形支管の斜め下方の前後通し管まで誘引し、前後通し管にて第二主幹の先端付近を前後方向ほぼ水平にそれぞれの主枝を分岐誘引するブドウの主幹整枝方法を本発明を実施するための形態とする。
【実施例】
【０００８】  以下、本発明の実施例について図１図２図３図４により説明する。
前後方向ほぼ直線状に建植した支柱１の列において、支柱高の中頃の前後方向に前後通し管２を設置し、二列に並列した支柱列の前後通し管の任意の箇所に、ペアの山形支管３を山部を上に両先端を下にしてそれぞれの左右先端を前後通し管に設置し、支柱に左右方向十字に張り出した複数の横材４を設置し、横材の両先端から支柱列の前後方向にワイヤー５を張設する、山形支管を使用することを主要な骨格構造として含むブドウ棚の構造の実施例がある。
支柱１の建植は、単管を使用し、所定の位置に充分な根固めをし、腐食等耐久性を考えて建植する。
前後通し管２の設置する高さは、支柱の中頃、大多数のブドウの横向き作業がやり易い位置とする。
山形支管３の形態は、頂部を角形に加工したものや、頂部を丸みを帯びたもの等の実施例がある。
横材４は、Ｌ型鋼等を使用し、支柱にたいして強固に設置する。
ワイヤー５の張設方法は、横材の先端から支柱列に沿って前後方向に行うが、横材の片方の先端のみに力を入れると不安定になるので、左右のワイヤーを同時に張設するなどの工夫が必要である。また、山形支管を利用してワイヤーを張設する方法もある。【０００９】  並列した左右支柱列のうち一方の支柱列の山形支管設置箇所の下部地上にブドウ１０を植生し、立ち上がったブドウの第一主幹６を山形支管３の山部まで誘引し、該第一主幹の先端付近から左右横方向に分岐した第二主幹７をペア側の山形支管の斜め下方の前後通し管２まで誘引し、前後通し管にて第二主幹の先端付近を前後方向ほぼ水平にそれぞれの主枝８を分岐誘引し、主枝から複数の新梢９を発芽させ、該新梢を複数のワイヤー５で形成した傾斜に沿って上部に誘引するブドウの主幹の整枝とブドウ棚全体の整枝方法の実施例である。
第一主幹６は、ブドウの地上部立ち上がりから山形支管の山部分岐部分までを言う。
第二主幹７は、山形支管の山部分岐部分から下方前後通し管の分岐部分までを言う。
主枝８は、前後通し管の分岐部分から前後に誘引した部分を言う。
新梢９は、主枝から複数に伸びた部分を言い、ここにブドウ１０が着生する。【００１０】  本発明は、従来の一般的な主枝平行Ｈ型仕立てに改良を加えて、主枝及び新梢高木の頭上作業と図６のように作業車の行動の束縛を解消するため、Ｈ型の態勢で苗を支柱列に移し、主枝を低木とし、両端固定の安定性のある山形支管を使用して、変形主枝低木平行Ｈ型仕立てとし、山形支管の山形空間によって樹下の空間高を確保し、畝間に作業車を走らせ、人に優しく効率の良いブドウ棚の手入れをする。
主枝低木仕立てのため、作業員は横向き作業となり幼枝の誘引やジベレリン作業および摘果や収穫等が従来の頭上作業から解放され、高齢化を迎えて首や手や肩の過労を抑え作業も効率化する
【符号の説明】
【００１１】１  支柱
２  前後通し管
３  山形支管
４  横材
５  ワイヤー
６  第一主幹
７  第二主幹
８  主枝
９  新梢
１０  ブドウ
【図１】
2017143819.tif 000003
【図２】
2017143819.tif 000004
【図３】
2017143819.tif 000005
【図４】
2017143819.tif 000006
【図５】
2017143819.tif 000007
【図６】
2017143819.tif 000008
【手続補正書】
【提出日】平成28年11月10日(2016.11.10)
【手続補正１】
【補正対象書類名】特許請求の範囲
【補正対象項目名】請求項２
【補正方法】変更
【補正の内容】
【請求項２】
請求項１に記載されたブドウ棚の主要骨格構造を用いたブドウの主幹整枝方法であって、並立した左右支柱列のうち一方の支柱列の山形支管設置箇所の下部地上にブドウを植生し、立ち上がったブドウの第一主幹を山形支管の山部まで誘引し、該第一主幹の先端付近から左右横方向に分岐した第二主幹をペア側の山形支管の斜め下方の前後通し管まで誘引し、前後通し管にて第二主幹の先端付近を前後方向ほぼ水平にそれぞれの主枝を分岐誘引するブドウの主幹整枝方法。